(57)【特許請求の範囲】
【請求項１】
スートブロワ（１）に供給される補助蒸気圧力を検出する圧力検出器（４）と、
該圧力検出器（４）からの圧力信号（５）を受けて設定圧力値（７）との偏差を求める引算器（６）と、
該引算器（６）からの偏差信号（８）を受けて補助蒸気圧力が設定圧力値（７）に確保されるよう補助蒸気管（１１）の圧力調整弁（１２）に向け開度指令信号（１０）を出力する比例積分調節器（９）と
を備えたスートブロワ用補助蒸気圧力制御装置であって、
スートブロワ１の各ユニット（Ａ）（Ｂ）（Ｃ）が運転状態であるか否かを判断し得る運転信号（１６ａ）（１６ｂ）（１６ｃ）を入力し且つ各ユニット（Ａ）（Ｂ）（Ｃ）で運転時に必要な補助蒸気流量に見合う前記圧力調整弁１２の開度指令信号を、運転状態にある全てのユニットについて積算する開度指令積算器（１４）と、
該開度指令積算器（１４）からの開度指令信号（１５）を前記比例積分調節器（９）からの開度指令信号（１０）に加算して前記圧力調整弁（１２）に出力する加算器（１３）と
を設けたことを特徴とするスートブロワ用補助蒸気圧力制御装置。
【請求項２】
加算器（１３）から圧力調整弁（１２）に出力される開度指令信号（１０）（１５）をフィードバックすることにより前記圧力調整弁（１２）の開度に対する補助蒸気流量の関係特性に応じたゲイン（１７）を修正して出力する関数発生器（１８）と、
該関数発生器（１８）からのゲイン（１７）を開度指令積算器（１４）から出力される開度指令信号（１５）に乗して前記加算器（１３）に出力する乗算器（１９）と
を設けたことを特徴とする請求項１に記載のスートブロワ用補助蒸気圧力制御装置。
【発明の詳細な説明】
【０００１】
【産業上の利用分野】
本発明は、スートブロワ用補助蒸気圧力制御装置に関するものである。
【０００２】
【従来の技術】
一般に、石炭焚きボイラ等においては、ボイラ内の煤を補助蒸気の噴射で除去するスートブロワが複数のユニットに組分けされて備えられており、前記スートブロワに使用する補助蒸気の圧力制御は、補助蒸気管に備えた圧力調整弁の開度を調整することにより行われている。
【０００３】
図４は従来のスートブロワ用補助蒸気圧力制御装置の一例を示すもので、複数のユニットＡ，Ｂ，Ｃに組分けされたスートブロワ１にヘッダ２を介して供給される補助蒸気３の圧力を、例えばユニットＡのヘッダ２に備えた圧力検出器４により検出し、該圧力検出器４からの圧力信号５を引算器６に導いて設定圧力値７との偏差を求め、前記引算器６からの偏差信号８に基づき比例積分調節器９により開度指令信号１０を補助蒸気管１１の圧力調整弁１２に出力し、該圧力調整弁１２の開度を前記開度指令信号１０に応じて調整することにより補助蒸気圧力が所定の設定圧力値７を確保するようにしてある。
【０００４】
【発明が解決しようとする課題】
しかしながら、スートブロワ１は各ユニットＡ，Ｂ，Ｃごとに間欠的に運転される為、スートブロワ１が各ユニットＡ，Ｂ，Ｃごとに起動・停止すると、補助蒸気３の必要流量は急激に変動することになるが、前記した如き従来装置では、補助蒸気３の必要流量が急激に変動して圧力変動が生じたことを、実際に圧力検出器４で検出してから圧力調整弁１２の開度調整を行う方式となっており、しかも、比例積分調節器９により徐々に開度調整を行う方式となっていた為、各ユニットＡ，Ｂ，Ｃのスートブロワ１の起動直後や停止直後における圧力変動を抑制することができず、特にスートブロワ１の起動直後における急激な補助蒸気圧力の低下はスートブロワ１の運転に支障を及ぼす虞れがあった。
【０００５】
本発明は上述の実情に鑑みてなしたもので、スートブロワの起動直後や停止直後における圧力変動を抑制し得るスートブロワ用補助蒸気圧力制御装置を提供することを目的としている。
【０００６】
【課題を解決するための手段】
本発明は、スートブロワ１に供給される補助蒸気圧力を検出する圧力検出器４と、
該圧力検出器４からの圧力信号を受けて設定圧力値との偏差を求める引算器と、
該引算器からの偏差信号を受けて補助蒸気圧力が設定圧力値に確保されるよう補助蒸気管１１の圧力調整弁１２に向け開度指令信号を出力する比例積分調節器９と
を備えたスートブロワ用補助蒸気圧力制御装置であって、
スートブロワ１の各ユニットＡ，Ｂ，Ｃが運転状態であるか否かを判断し得る運転信号１６ａ，１６ｂ，１６ｃを入力し且つ各ユニットＡ，Ｂ，Ｃで運転時に必要な補助蒸気流量に見合う前記圧力調整弁１２の開度指令信号を、運転状態にある全てのユニットについて積算する開度指令積算器１４と、
該開度指令積算器１４からの開度指令信号を前記比例積分調節器９からの開度指令信号に加算して前記圧力調整弁１２に出力する加算器１３と
を設けたことを特徴とするスートブロワ用補助蒸気圧力制御装置、に係るものである。
【０００７】
更に、加算器１３から圧力調整弁１２に出力される開度指令信号をフィードバックすることにより前記圧力調整弁１２の開度に対する補助蒸気流量の関係特性に応じたゲイン１７を修正して出力する関数発生器１８と、
該関数発生器１８からのゲイン１７を開度指令積算器１４から出力される開度指令信号に乗して前記加算器１３に出力する乗算器１９と
を設けるようにしても良い。
【０００８】
【作用】
従って本発明では、スートブロワ１が各ユニットＡ，Ｂ，Ｃごとに起動・停止されると、運転信号１６ａ，１６ｂ，１６ｃを入力している開度指令積算器１４において、各ユニットＡ，Ｂ，Ｃで運転時に必要な補助蒸気流量に見合う前記圧力調整弁１２の開度指令信号が、運転状態にある全てのユニットについて直ちに積算され、開度指令信号１５として出力される。
【０００９】
前記開度指令積算器１４から出力された開度指令信号１５は、加算器１３を介し実際の補助蒸気圧力変動に先行して圧力調整弁１２に出力され、該圧力調整弁１２は、現在運転中のスートブロワ１のユニットで必要な補助蒸気流量に見合う開度に調整される。
【００１０】
更に、前記した如き開度指令積算器１４からの開度指令信号１５による先行制御の後で、圧力検出器４により検出される実際の補助蒸気圧力が設定圧力値７に対し偏差を生じている場合には、引算器６からの偏差信号８を受けた比例積分調節器９により補助蒸気圧力が設定圧力値７に確保されるよう開度指令信号１０が出力され、加算器１３を介し前記開度指令積算器１４からの開度指令信号１５に加算されて圧力調整弁１２に出力され、該圧力調整弁１２は、実際に検出される補助蒸気圧力が設定圧力値７に確保されるよう補完的に開度調整される。
【００１１】
また、加算器１３から圧力調整弁１２に出力される開度指令信号１０，１５をフィードバックすることにより前記圧力調整弁１２の開度に対する補助蒸気流量の関係特性に応じたゲイン１７を修正して出力する関数発生器１８と、該関数発生器１８からのゲイン１７を開度指令積算器１４から出力される開度指令信号に乗して前記加算器１３に出力する乗算器１９とを設けた場合には、開度指令積算器１４から出力される開度指令信号１５が、圧力調整弁１２の開度に対する補助蒸気流量の関係特性に応じて微調整される。
【００１２】
【実施例】
以下本発明の実施例を図面を参照しつつ説明する。
【００１３】
図１〜図３は本発明の一実施例を示すもので、前述した図４のスートブロワ用補助蒸気圧力制御装置と同様に、スートブロワ１に供給される補助蒸気３の圧力を検出する圧力検出器４と、該圧力検出器４からの圧力信号５を受けて設定圧力値７との偏差を求める引算器６と、該引算器６からの偏差信号８を受けて補助蒸気圧力が設定圧力値７に確保されるよう補助蒸気管１１の圧力調整弁１２に向け開度指令信号１０を出力する比例積分調節器９とが備えられているが、本発明では以下に詳述する構成が付加されている点で従来とは異なる制御が行われるようになっている。
【００１４】
即ち、従来では比例積分調節器９からの開度指令信号１０のみを補助蒸気管１１の圧力調整弁１２に向け直接出力するようにしていたが、前記比例積分調節器９と圧力調整弁１２との間に加算器１３を設け、該加算器１３に後述する開度指令積算器１４からの開度指令信号１５を導いて前記比例積分調節器９からの開度指令信号１０に加算して圧力調整弁１２に出力するようにしてある。
【００１５】
前記開度指令積算器１４は、スートブロワ１の各ユニットＡ，Ｂ，Ｃが運転状態であるか否かを判断し得る運転信号１６ａ，１６ｂ，１６ｃを入力し且つ各ユニットＡ，Ｂ，Ｃで運転時に必要な補助蒸気流量に見合う前記圧力調整弁１２の開度指令信号を、運転状態にある全てのユニットについて積算するようになっている。
【００１６】
例えば、前記運転信号１６ａ，１６ｂ，１６ｃには、スートブロワ１の運転制御シーケンスから導いたデジタル信号を使用し、スートブロワ１の各ユニットＡ，Ｂ，Ｃが運転状態となった時に運転信号１６ａ，１６ｂ，１６ｃが「１」で入力され、非運転状態となった時には運転信号１６ａ，１６ｂ，１６ｃが「０」で入力されるようにしておき、これら運転信号１６ａ，１６ｂ，１６ｃが「１」又は「０」で入力されるのに対し、各ユニットＡ，Ｂ，Ｃごとに決められている開度指令ベースを掛け、各ユニットＡ，Ｂ，Ｃで運転時に必要な補助蒸気流量に見合う前記圧力調整弁１２の開度指令信号を換算し、得られた開度指令信号を積算するようにする。
【００１７】
このようにすれば、スートブロワ１の各ユニットＡ，Ｂ，Ｃのうち非運転状態にあるものについて運転信号１６ａ，１６ｂ，１６ｃが「０」で入力され、これに開度指令ベースを掛けても開度指令信号は発生しないので、発生した開度指令信号のみを全て積算すれば自ずから運転状態にあるユニットについてだけの開度指令信号１５が積算されることになる。
【００１８】
また、特に本実施例では、加算器１３から圧力調整弁１２に出力される開度指令信号１０，１５をフィードバックすることにより前記圧力調整弁１２の開度に対する補助蒸気流量の関係特性に応じたゲイン１７を修正して出力する関数発生器１８が設けられており、該関数発生器１８からのゲイン１７は、前記開度指令積算器１４と加算器１３との間に備えられた乗算器１９に入力され、該乗算器１９において前記開度指令積算器１４から出力される開度指令信号１５に前記ゲイン１７が掛けられるようになっている。
【００１９】
つまり、一般的に圧力調整弁１２の開度の変化量と流量の変化量とは一定割合で対応せず、例えば図２に示す如く、開度が大きくなるにつれて流量の増加割合が相乗的に大きくなるといった関係特性があるので、このような関係特性を考慮して前記開度指令積算器１４からの開度指令信号を微調整する必要があるのである。
【００２０】
依って、関数発生器１８には、例えば図３に示す如き開度指令信号１０，１５のフィードバックに対するゲイン１７の修正関数（プログラム）を入力しておき、加算器１３から圧力調整弁１２に出力される開度指令信号１０，１５のフィードバックによりゲイン１７が修正されるようにしておけば良い。
【００２１】
而して、スートブロワ１が各ユニットＡ，Ｂ，Ｃごとに起動・停止されると、運転信号１６ａ，１６ｂ，１６ｃを入力している開度指令積算器１４において、各ユニットＡ，Ｂ，Ｃで運転時に必要な補助蒸気流量に見合う前記圧力調整弁１２の開度指令信号が、運転状態にある全てのユニットについて直ちに積算され、開度指令信号１５として出力される。
【００２２】
前記開度指令積算器１４から出力された開度指令信号１５は、乗算器１９で関数発生器１８からのゲイン１７を掛けられて微調整された上で加算器１３を介し実際の補助蒸気圧力変動に先行して圧力調整弁１２に出力され、該圧力調整弁１２は、現在運転中のスートブロワ１のユニットで必要な補助蒸気流量に見合う開度に調整される。
【００２３】
更に、前記した如き開度指令積算器１４からの開度指令信号１５による先行制御の後で、圧力検出器４により検出される実際の補助蒸気圧力が設定圧力値７に対し偏差を生じている場合には、引算器６からの偏差信号８を受けた比例積分調節器９により補助蒸気圧力が設定圧力値７に確保されるよう開度指令信号１０が出力され、加算器１３を介し前記開度指令積算器１４からの開度指令信号１５に加算されて圧力調整弁１２に出力され、該圧力調整弁１２は、実際に検出される補助蒸気圧力が設定圧力値７に確保されるよう補完的に開度調整される。
【００２４】
従って上記実施例によれば、スートブロワ１が各ユニットＡ，Ｂ，Ｃごとに起動・停止されるのと同時に、各ユニットＡ，Ｂ，Ｃ単位で増減する補助蒸気流量に見合う開度指令信号１５を実際の補助蒸気圧力変動に先行して出力し、スートブロワ１の起動・停止に即応した圧力調整弁１２の開度調整を行うことができるので、スートブロワ１の起動直後や停止直後における圧力変動を著しく抑制することができ、補助蒸気圧力を良好に設定圧力値７に制御することができる。
【００２５】
更に、本実施例によれば、開度指令積算器１４から出力される開度指令信号１５に関数発生器１８からのゲイン１７を掛けることによって、前記開度指令積算器１４から出力される開度指令信号１５を圧力調整弁１２の開度に対する補助蒸気流量の関係特性に応じて微調整することができるので、制御性能を一層向上することができる。
【００２６】
尚、本発明のスートブロワ用補助蒸気圧力制御装置は、上述の実施例にのみ限定されるものではなく、本発明の要旨を逸脱しない範囲内において種々変更を加え得ることは勿論である。
【００２７】
【発明の効果】
上記した本発明のスートブロワ用補助蒸気圧力制御装置によれば、下記の如き種々の優れた効果を奏し得る。
【００２８】
（Ｉ）本発明の請求項１に記載の発明によれば、スートブロワ１が各ユニットＡ，Ｂ，Ｃごとに起動・停止されるのと同時に、各ユニットＡ，Ｂ，Ｃ単位で増減する補助蒸気流量に見合う開度指令信号１５を実際の補助蒸気圧力変動に先行して出力し、スートブロワ１の起動・停止に即応した圧力調整弁１２の開度調整を行うことができるので、スートブロワ１の起動直後や停止直後における圧力変動を著しく抑制することができ、補助蒸気圧力を良好に設定圧力値７に制御することができる。
【００２９】
（ＩＩ）本発明の請求項２に記載の発明によれば、開度指令積算器１４から出力される開度指令信号１５を、圧力調整弁１２の開度に対する補助蒸気流量の関係特性に応じて微調整することができるので、制御性能を一層向上することができる。
【図面の簡単な説明】
【図１】本発明の一実施例を示す系統図である。
【図２】圧力調整弁の開度に対する補助蒸気流量の関係特性の一例を示すグラフである。
【図３】図１の関数発生器に入力されている関数（プログラム）の一例を示すグラフである。
【図４】従来例を示す系統図である。
【符号の説明】
１        スートブロワ
３        補助蒸気
４        圧力検出器
５        圧力信号
６        引算器
７        設定圧力値
８        偏差信号
９        比例積分調節器
１０        開度指令信号
１１        補助蒸気管
１２        圧力調整弁
１３        加算器
１４        開度指令積算器
１５        開度指令信号
１６ａ      運転信号
１６ｂ      運転信号
１６ｃ      運転信号
１７        ゲイン
１８        関数発生器
１９        乗算器
Ａ        ユニット
Ｂ        ユニット
Ｃ        ユニット
【図１】
0003716443.tif 000002
【図２】
0003716443.tif 000003
【図３】
0003716443.tif 000004
【図４】
0003716443.tif 000005